(57)【要約】【課題】簡単な構造でありながら、ロール巻き袋の装着、引き出しと切断が容易であるばかりでなく、異なる幅のロール巻き袋でもそのまま使用可能なロールホルダーを提供する。【解決手段】使用単位毎に切取線を設けた連続袋をロール巻きしたロール巻き袋１を収納するための収納容器２１と、一対のガイド２４、２４’とからなるロールホルダー２において、  収納容器２１は、下側部分の内面が収納したロール巻き袋１の巻き方向に対して円弧状、幅方向に対しては両側端２２が上方に向かって傾斜した形状であって、上部にロール巻き袋１の先端部を取り出すための開口部２３を有する構造であり、  ガイド２４、２４’は、ロール巻き袋１の先端部が通過可能な間隙で該開口部２３の両端に沿うように同一方向に設けられていることを特徴とするロールホルダー１。【選択図】      図２
2005200062.tif 000002
【特許請求の範囲】
【請求項１】
使用単位毎に切取線を設けた連続袋をロール巻きしたロール巻き袋１を収納するための収納容器２１と、ガイド２４、２４’とからなるロールホルダー２において、
収納容器２１は、下側部分の内面が収納したロール巻き袋１の巻き方向に対して円弧状、幅方向に対しては両側端２２が上方に向かって傾斜した形状であって、上部にロール巻き袋１の先端部を取り出すための開口部２３を有する構造であり、
ガイド２４、２４’は、互いに対向するように開口部２３の両端部に設けられていることを特徴とするロールホルダー１。
【請求項２】
収納容器２１が、収納したロール巻き袋１の幅方向にリング状物を適宜間隔で連ねるような配置にした形状であることを特徴とする請求項１記載のロールホルダー２。
【請求項３】
ガイド２４、２４’がＭ字型であることを特徴とする請求項１又は２記載のロールホルダー２。
【発明の詳細な説明】
【技術分野】
【０００１】
本発明は、使用単位毎にミシン目等の切取線を設け、ロール巻きした連続袋を装着するための、とりわけ装着が簡単で、切取も容易であるロールホルダーに関するものである。
【背景技術】
【０００２】
従来から、使用単位毎にミシン目等の切取線を設け、ロール巻きした連続袋（以下、ロール巻き袋という。）はスーパーマーケット等において顧客が購入品をパックしたり、或いはバックヤードやレジ等で店員が商品をパックするのに幅広く使用されている。
【０００３】
そのため、ロール巻き袋の装着が簡単で、しかも袋を１枚ずつ取り出しやすくすることを目的としたロールホルダーが多数提案されている。特に、特許文献１や特許文献２のように、回転軸にロール巻き袋の巻き芯を通すように装着し、引き出す時にはロール巻き袋にブレーキをかけながら回転させて切り取る形式のロールホルダーが数多く提案されている。ところが、この方法の場合、確かに取り出しやすいのであるが、交換時に一々回転軸にロール巻き袋の巻き芯を通す必要があること、及び回転するロール巻き袋のロール径が次第に小さくなっても適切なブレーキがかかるようにする必要があることから、構造が複雑になるという欠点があった。
【０００４】
一方、ロール巻き袋の装着を容易にする方法として、例えば、ロール巻き袋を収納体と蓋体とから構成された収納部に収納し、収納部の端縁に設けられた案内片を通して引き出し、案内片の中央部外端寄りに設けたカッターで切断する機構のロールホルダーが特許文献３に記載されている。この方法によれば、ロール巻き袋を収納部に入れるだけで装着できるので、装着が容易であるという利点がある。しかしながら、異なった幅のロール巻き袋を使用する度に仕切溝に仕切片を差し込んで調整する必要があるので、調整が手間であるという問題があった。
【０００５】
また、特許文献４には、引き出し及び切断を容易にするためにカッター保持部を蓋体又は本体に対向してＬ字状に設け、カッター保持部の先端部が蓋体又は本体を指向するように設けることが記載されている。しかしながら、この場合も特許文献３と同様な問題点を有している。
【０００６】
【特許文献１】実開平４−１１８３０７号公報
【特許文献２】実開昭５５−１０５５４４号公報
【特許文献３】実公平２−４５１５５号公報
【特許文献４】実公平５−３１０６９号公報
【発明の開示】
【発明が解決しようとする課題】
【０００７】
本発明は、このような状況に鑑みなされたもので、ロール巻き袋の装着、引き出しと切断が容易であるばかりでなく、異なる幅のロール巻き袋でもそのまま使用可能なロールホルダーを提供することを目的とする。
【課題を解決するための手段】
【０００８】
本発明者らは鋭意研究を行った結果、ロール巻き袋の収納容器を特定の構造とすることによって前記課題が解決できることを見いだし本発明に至った。
すなわち本発明は、
（１）  使用単位毎に切取線を設けた連続袋をロール巻きしたロール巻き袋１を収納するための収納容器２１と、ガイド２４、２４’とからなるロールホルダー２において、
収納容器２１は、下側部分の内面が収納したロール巻き袋１の巻き方向に対して円弧状、幅方向に対しては両側端２２が上方に向かって傾斜した形状であって、上部にロール巻き袋１の先端部を取り出すための開口部２３を有する構造であり、
ガイド２４、２４’は、互いに対向するように開口部２３の両端向に設けられていることを特徴とするロールホルダー１。
（２）  収納容器２１が、収納したロール巻き袋１の幅方向にリング状物を適宜間隔で連ねるような配置にした形状であることを特徴とする（１）記載のロールホルダー２。
（３）  ガイド２４、２４’がＭ字型であることを特徴とする（１）又は（２）記載のロールホルダー２。
をその要旨とするものである。
【発明の効果】
【０００９】
本発明のロールホルダー２は、ロール巻き袋１を回転軸に通す必要がないので装着が容易であり、しかも幅の異なるロール巻き袋１を使用した場合でも、当該ロールホルダー２の両側端２３が上方に傾斜しているので仕切板等を使用することなく回転時のロール巻き袋１の横滑りを防止できるという利点を有している。更に、ガイド２４、２４’内に常にロール巻き袋１の先端部が存在しているので引き出しやすく、また、ロール巻き袋１の切断も容易であるという利点も有している。
【発明を実施するための最良の形態】
【００１０】
本発明のロールホルダー２に適用するロール巻き袋１は、使用単位毎に切取線を有する連続袋をロール巻きしたものであって、例えば、ポリエチレン、ポリプロピレン等の合成樹脂製のチューブを所定間隔毎に底シール１１とミシン目等の切取線１２を設けてロール状に巻き取ったものであり、利用者は当該ロール巻き袋１を先端部より順次巻き戻して、切取線１２から切り取ることによって個別の袋として使用するものである。
【００１１】
次に、本発明のロールホルダー２を図面に基づいて説明する。
ここで図１、２は本発明のロールホルダー２の一例を示す概略斜視図である。
本発明のロールホルダー２は、ロール巻き袋１を収納するための収納容器２１と、ガイド２４、２４’とから構成されている。そして、収納容器２１の下側部分の内面が収納したロール巻き袋１の巻き方向に対して円弧状、幅方向に対しては両側端２２が上方に向かって傾斜した形状であって、上部にロール巻き袋１の先端部を取り出すための開口部２３を有する構造であることを特徴とするものである。
【００１２】
ここで、収納容器２１の下側部分の内面が収納したロール巻き袋１の巻き方向に対して円弧状であるというのとは、例えば、特許文献３に記載されている収納容器の如く円筒形のような形状を意味している。そして、そのような形状とすることによってロール巻き袋１の形状と、収納容器２１の内面の形状が一致するので袋を引き出す際に大きな抵抗を受けることなくロール巻き袋１をスムーズに回動させることができるのである。このような要件を満たす形状としては円筒形、上半分が開口した半円筒形（図１参照）、或いは収納したロール巻き袋１の幅方向にリング状物を適宜間隔で連ねるような配置にした形状（図２参照）等が挙げられる。これらのなかでも、半円筒形、或いは複数のリング状物が適宜間隔で連ねるような配置にした形状とするのがロール巻き袋１の装着が容易であるばかりでなく、減り具合等も視認できるので特に好ましい。
【００１３】
更に、本発明においては収納したロール巻き袋１の幅方向に対して収納容器２１の両側端２２が上方に向かって傾斜した構造であることが必要である。すなわち、両側端２２を上方に向かって傾斜させることによって異なる幅のロール巻き袋１を使用した場合であってもロール巻き袋１を引き出す際の回転に伴う横滑りを防止することができるのである。したがって、円筒形で傾斜のない構造の収納容器を使用する特許文献３に記載のロールホルダーのように異なる幅のロール巻き袋１を使用する毎にその幅に合うように仕切板を交換する手間が省けるという効果を有するのである。特に、収納容器２１を複数のリング状物が適宜間隔で連ねるような配置にした形状とした場合、どのような幅のロール巻き袋１を使用した場合でも底部の両端側が常に少なくとも２本のリング状物で支えられ、しかもロール巻き袋１の両端より外側のリング状物が仕切板の役割を果たすので好ましい。
また、収納容器２１の上部にはロール巻き袋１の先端部を取り出すための開口部２３が設けられている。開口部２３は、ロール巻き袋１の幅以上の大きさに形成されていて、ロール巻き袋１の先端部を通しやすい構造であれば特に制限はない。
【００１４】
一方、ガイド２４、２４’は、互いに対向するように開口部２３の両端部に設けられている。すなわち、本発明においてはロール巻き袋１の先端部分を、開口部２３を通し、次いで２つのガイド２４、２４’の間を通して引き出すのである。したがって、ガイド２４と２４’との先端部付近の間隙は、ロール巻き袋１の先端部がスムーズに通過可能であり、しかも切断後にガイド２４、２４’間に先端部が外れずに保持できることが望ましく、具体的には−２．０〜５．０ｍｍ程度にするのがよい。また、ガイド２４、２４’の取付方向はロール巻き袋１の先端部を引き出す際に、切断線から切断することなくロール巻き袋１を回転させることができる方向に延出させるのが好ましく、更に、残存するロール巻き袋１の先端部が外れずに保持できる方向が好ましい。具体的には、収納容器２１の上部に存在する開口部２３の両端部から上方、或いは斜め上、側方にのいずれかの方向から適宜選択することができる。
【００１５】
ガイド２４、２４’の形状としては、逆Ｕ字型やＭ字型が挙げられ、また複数のガイドを組み合わせた物等が挙げられるが、特にＭ字型であるのが好ましい。ここでＭ字型というのは、ガイドの先端部分が２つに分かれていて、中央部が窪んだ形状のことを意味しており、そのような形状とすることによってロール状袋１を切断後に残存する袋の先端部をＭ字の窪んだところから容易につまんで取り出すことが可能となるのである。
なお、本発明のロールホルダー２には必要に応じて、架台、取付金具を装着することは勿論のこと、セロファン粘着テープや輪ゴム等を使用できるようにするため部品を取り付けた構造とすることも可能である。更にまた、必要に応じてロールホルダー２を装飾したりすることもできる。
【産業上の利用可能性】
【００１６】
本発明のロールホルダー２は機構が簡単であるにもかかわらず、ロール巻き袋１の装着、引き出し及び切断が容易であるので、スーパーマーケットのレジやバックヤードで好適に使用することができる。
【図面の簡単な説明】
【００１７】
【図１】本発明のロールホルダー２の一例を示す概略斜視図である。
【図２】本発明のロールホルダー２の他の一例を示す概略斜視図である。
【図３】ロール巻き袋１を説明する説明図である。
【符号の説明】
【００１８】
１              ロール巻き袋
１１            底シール
１２            切取線
２              ロールホルダー
２１            収納容器
２２            両側端
２３            開口部
２４、２４’    ガイド
【図１】
2005200062.tif 000003
【図２】
2005200062.tif 000004
【図３】
2005200062.tif 000005